(57)【要約】      （修正有）【課題】フォーカスコイルからの磁束を有効活用した光ピックアップアクチュエータ及びそれを採用した光ディスクドライブを提供する。【解決手段】対物レンズ１０が搭載されたブレード２０に設けられたコイル４０，５０と、コイル４０の真ん中の中空内に位置する第１磁石７１と、第１磁石と対向すべく中空外側に設けられた第２磁石７２とを含み、第１磁石７１はコイル４０と対向する外周面全体が第１極に着磁されその内周側は第２極に着磁された筒型構造よりなるように光ピックアップアクチュエータを構成する。【選択図】図３
2004164831.tif 000002
【特許請求の範囲】
【請求項１】
対物レンズが搭載されたブレードと、前記ブレードをベースに設けられたホルダに対して遊動自在に支持する複数のワイヤと、中央に上下に貫通された中空が形成されるように前記ブレードに設けられたコイルと、前記中空内に位置するように前記ベースに設けられて前記コイルに流れる電流との相互作用で電磁気力を発生させる第１磁石及び前記コイルの一部を挟んで前記第１磁石と対向すべく前記中空外側に設けられた第２磁石を含む光ピックアップアクチュエータにおいて、
前記第１磁石は、
前記コイルと対向する外周面全体が第１極に着磁され、その内周側は第２極に着磁されたことを特徴とする光ピックアップアクチュエータ。
【請求項２】
前記第１磁石はその中心に垂直に貫通された空隙が形成された筒型部材よりなることを特徴とする請求項１に記載の光ピックアップアクチュエータ。
【請求項３】
記録媒体のディスクを回転させるスピンドルモータと、対物レンズの位置を制御する光ピックアップアクチュエータを備え、その対物レンズを介して前記ディスクの所望の位置に光を照射して情報を記録／再生する光ピックアップとを含む光ディスクドライブにおいて、
前記光ピックアップアクチュエータは、対物レンズが搭載されたブレードと、前記ブレードをベースに設けられたホルダに対して遊動自在に支持する複数のワイヤと、中央に上下に貫通された中空が形成されるように前記ブレードに設けられたコイルと、前記中空内に位置するように前記ベースに設けられて前記コイルに流れる電流との相互作用で電磁気力を発生させる第１磁石及び前記コイルの一部を挟んで前記第１磁石と対向すべく前記中空外側に設けられた第２磁石を含み、
前記第１磁石は前記コイルと対向する外周面全体が第１極に着磁され、その内周側は第２極に着磁されたことを特徴とする光ディスクドライブ。
【請求項４】
前記第１磁石はその中心に垂直に貫通された空隙が形成された筒型部材よりなることを特徴とする請求項３に記載の光ディスクドライブ。
【請求項５】
前記第１磁石は前記コイルに流れる電流と相互作用して電磁気力を発生させることを特徴とする請求項１に記載の光ピックアップアクチュエータ。
【請求項６】
前記光ピックアップアクチュエータの第１磁石は前記コイルに流れる電流と相互作用して電磁気力を発生させることを特徴とする請求項３に記載の光ディスクドライブ。
【請求項７】
光ピックアップアクチュエータの駆動感度を高める方法において、
複数の磁石間に位置した光ピックアップアクチュエータのコイルに電流を流す段階と、
電流の流れからブレードを動かす主駆動力と実質的に同方向になる複数の力を生成させる段階と、
前記複数の生成された力で前記光ピックアップアクチュエータのブレードを駆動する段階とを含む方法。
【請求項８】
前記ブレードの駆動はそのブレードに搭載された対物レンズのフォーカシングを含むことを特徴とする請求項７に記載の方法。
【請求項９】
対物レンズとベース上のホルダと共に使われる光ピックアップアクチュエータにおいて、
前記対物レンズを支持するブレードと、
前記ブレードを前記ホルダに対して移動自在に支持する複数のワイヤと、
前記ブレードを動かすための複数の力を生成する能力を有した機器とを含み、
前記機器により生成される複数の力は前記ブレードを動かす主駆動力として実質的に同方向に作用することを特徴とする光ピックアップアクチュエータ。
【請求項１０】
前記機器は、
内部に中空を形成する壁を有したコイルと、
前記中空内に少なくとも一部が位置して前記コイルに流れる電流と相互作用して電磁気力を形成させる第１磁石と、
前記コイルの一部を挟んで前記第１磁石と対向すべく前記中空外側に設けられた第２磁石とを含む請求項９に記載の光ピックアップアクチュエータ。
【請求項１１】
前記コイルと対向する前記第１磁石の外周面は第１極に着磁され、その内周面は前記第１極と反対の第２極に着磁されたことを特徴とする請求項１０に記載の光ピックアップアクチュエータ。
【請求項１２】
対物レンズとベース上のホルダと共に使われる光ピックアップアクチュエータにおいて、
第１中空を有するブレードと、
前記ブレードを前記ホルダに対して移動自在に支持する複数のワイヤと、
前記ブレードの第１中空内に位置し、第２中空を形成する壁を有するフォーカシングコイル及び少なくとも一つのトラッキングコイルと、
前記第２中空内に位置するように前記ベース上に設けられた第１磁石と、
少なくとも一部が前記第１磁石と対向するように前記第２中空の外側でありかつ前記第１中空内に位置し、前記フォーカシングコイルの一部を挟んで第１磁石と対向する第２磁石とを含み、
前記フォーカシングコイルと対向する前記第１磁石の外周面は第１極に着磁され、その内周面を第２極に着磁されたことを特徴とする光ピックアップアクチュエータ。
【請求項１３】
前記第１磁石は前記コイルに流れる電流と相互作用して電磁気力を発生させることを特徴とする請求項１２に記載の光ピックアップアクチュエータ。
【請求項１４】
対物レンズとベース上のホルダと共に使われる光ピックアップアクチュエータにおいて、
対物レンズを支持するブレードと、
前記ブレードを前記ホルダに対して移動自在に支持する複数のワイヤと、
前記ブレードに設けられ、内部中空を形成する壁を有するフォーカシングコイル及び少なくとも一つのトラッキングコイルと、
中心に開放部を有して前記中空内に位置する第１磁石と、
少なくとも一部が前記第１磁石と対向するように前記フォーカシングコイルの外側に位置し、前記フォーカシングコイルの一部を挟んで第１磁石と対向する第２磁石とを含むことを特徴とする光ピックアップアクチュエータ。
【請求項１５】
前記第１磁石の内周面と外周面とは反対極に着磁され、前記フォーカシングコイルと対向する前記第１磁石の外周面全体は実質的に同じ極に属することを特徴とする請求項１４に記載の光ピックアップアクチュエータ。
【請求項１６】
前記ブレードをフォーカシング方向に駆動させる主駆動力は前記フォーカシングコイルの前面に流れる電流により生成され、背面と左右面とに流れる電流は前記主駆動力と実質的に同方向の力を生成することを特徴とする請求項１５に記載の光ピックアップアクチュエータ。
【請求項１７】
対物レンズとベース上のホルダと共に使われる光ピックアップアクチュエータにおいて、
対物レンズを支持するブレードと、
前記ブレードを前記ホルダに対して移動自在に支持する複数のワイヤと、
前記ブレードに設けられ、中空を形成する壁を有するフォーカシングコイル及び少なくとも一つのトラッキングコイルと、
中心に開放部を有して前記フォーカシングコイルの中空内に位置する第１磁石と、
少なくとも一部が前記第１磁石と対向するように前記フォーカシングコイルの外側に位置し、前記フォーカシングコイルの一部を挟んで第１磁石と対向する第２磁石とを含むことを特徴とする光ピックアップアクチュエータ。
【請求項１８】
第１極に着磁された前記第１磁石の内周面と、第１極と反対の第２極に着磁された前記第１磁石の外周面とをさらに含み、前記フォーカシングコイルと対向する前記第１磁石の外周面全体は実質的に同じ極に属することを特徴とする請求項１７に記載の光ピックアップアクチュエータ。
【請求項１９】
対物レンズとベース上のホルダと共に使われる光ピックアップアクチュエータにおいて、
中空を有したブレードと、
前記ブレードを前記ホルダに対して移動自在に支持する複数のワイヤと、
前記中空内に設けられるフォーカシングコイルとを含み、
磁気力線は前記フォーカシングコイルの前後左右面に力を発生させるように作用し、その力の結果は前記ブレードを駆動させる主駆動力と実質的に同方向に作用することを特徴とする光ピックアップアクチュエータ。
【請求項２０】
前記磁気力線は前記フォーカシングコイルの各部位で実質的に同時に増減することを特徴とする請求項１９に記載の光ピックアップアクチュエータ。
【発明の詳細な説明】
【技術分野】
【０００１】
本発明は光ピックアップアクチュエータ及びそれを採用した光ディスクドライブに関する。
【背景技術】
【０００２】
一般的に光ディスクドライブにはスピンドルモータにより回転するディスクに情報を記録したり再生するための光ピックアップが備わっている。この光ピックアップは対物レンズを介して前記ディスクに光を照射して情報を記録したりまたはそこから反射される光を受光して情報を再生する装置であり、光がディスクの正確な位置に照射されるように対物レンズの位置を制御するアクチュエータを備えている。
【０００３】
図１はこのような光ピックアップアクチュエータであり、従来に採用された構造を示したものである。
【０００４】
示された光ピックアップアクチュエータは、対物レンズ１が搭載されるブレード２と、ブレード２をホルダ３に対して遊動自在に支持する複数のワイヤ６と、前記対物レンズ１のフォーカス方向Ｆ及びトラッキング方向Ｔへの駆動のために前記ブレード２に設けられて通電経路を形成するフォーカスコイル４及びトラッキングコイル５と、前記各コイル４，５に流れる電流との相互作用で前記ブレード２を駆動させるための電磁気力を発生させる１対の磁石７及びヨーク８を含んで構成される。
【０００５】
ところで、このような構造ではブレード２に設けられているフォーカスコイル４のうち実際の制御に利用される有効長さが全体の１／４ほどにしかならない短所がある。すなわち、フォーカスコイル４の全体長さのうちで実際の制御に有効に利用される部分は図２に示されたように１対の磁石７間に位置した部分４ａだけである。残りの部分４ｂ，４ｃ，４ｄにも磁石７の漏れ磁束の影響があることはあるが、左右の部分４ｃ，４ｄは相互反対方向に電流が流れて力が相殺され、背面の部分４ｂは、たとえ有効部４ａによる力に比べて微弱ではあっても、むしろその有効部４ａと反対方向に力を発生させるために制御の感度を落として副共振を起こす原因になりうる。これを解消するための方案として、ヨーク８背面に磁束の通過を遮断できるスペーサを付着して有効部４ａを除外した残りのコイル部位への漏れ磁束を防止する方案が提案されたが、これは部品数及び組立て工程数を増加させるために望ましい解決策になりえずにいる。
【０００６】
従って、このようなコイル利用の非効率的な面を改善できる新しい構造のアクチュエータが要求されている。
【発明の開示】
【発明が解決しようとする課題】
【０００７】
本発明は上記の必要性を勘案して創出されたものであり、対物レンズの位置制御のためのコイルの利用効率を極大化できるように改善された光ピックアップアクチュエータ及びそれを採用した光ディスクドライブを提供するところに目的がある。
【課題を解決するための手段】
【０００８】
前記目的を達成するための本発明の光ピックアップアクチュエータは、対物レンズが搭載されたブレードと、前記ブレードをベースに設けられたホルダに対して遊動自在に支持する複数のワイヤと、中央に上下に貫通された中空が形成されるように前記ブレードに設けられたコイルと、前記中空内に位置するように前記ベースに設けられて前記コイルに流れる電流との相互作用で電磁気力を発生させる第１磁石及び前記コイルの一部を挟んで前記第１磁石と対向すべく前記中空外側に設けられた第２磁石とを含む光ピックアップアクチュエータにおいて、前記第１磁石は、前記コイルと対向する外周面全体が第１極に着磁され、その内周側は第２極に着磁されたことを特徴とする。
【０００９】
また、前記目的を達成するための本発明の光ディスクドライブは、記録媒体のディスクを回転させるスピンドルモータと、対物レンズの位置を制御する光ピックアップアクチュエータを備え、その対物レンズを介して前記ディスクの所望の位置に光を照射して情報を記録したり再生する光ピックアップとを含む光ディスクドライブにおいて、前記光ピックアップアクチュエータは、対物レンズが搭載されたブレードと、前記ブレードをベースに設けられたホルダに対して遊動自在に支持する複数のワイヤと、中央に上下に貫通された中空が形成されるように前記ブレードに設けられたコイルと、前記中空内に位置するように前記ベースに設けられて前記コイルに流れる電流との相互作用で電磁気力を発生させる第１磁石及び前記コイルの一部を挟んで前記第１磁石と対向すべく前記中空外側に設けられた第２磁石とを含み、前記第１磁石は前記コイルと対向する外周面全体が第１極に着磁され、その内周側は第２極に着磁されたことを特徴とする。
【発明の効果】
【００１０】
本発明による光ピックアップアクチュエータ及びそれを採用した光ディスクドライブは次のような効果を提供する。
【００１１】
第一に、フォーカスコイルの全ての面に流れる電流をブレード駆動に有効に使用するために、制御の感度を向上させられる。
【００１２】
第二に、フォーカスコイル全体にかけて同方向に駆動力が発生するので、アンバランスによる副共振発生などの危険性がなくなる。
【００１３】
第三に、スペーサのように漏れ磁束を防止するために別途の部材を設ける必要がないために、組立工程の簡素化及び製品の小型軽量化などに有利である。
【発明を実施するための最良の形態】
【００１４】
以下、添付された図面を参照しつつ本発明の実施例を詳細に説明する。
図３は本発明による光ディスクドライブに採用されるものであり、光ピックアップの対物レンズの位置を調整しつつ記録や再生作業のためにスピンドルモータにより回転するディスクの所望の位置に光を照射させる光ピックアップアクチュエータを示す。
【００１５】
図面を参照すれば、ベース９０上にホルダ３０が設けられており、対物レンズ１０を搭載したブレード２０は複数のワイヤ６０によりこのホルダ３０に遊動自在に支持されている。そして、前記ブレード２０をフォーカシング方向Ｆとトラッキング方向Ｔとに駆動させて対物レンズ１０の位置を制御する電磁気駆動ユニットであり、ブレード２０に設けられたフォーカスコイル４０及びトラッキングコイル５０と、このコイル４０，５０を挟んで対向すべくベース９０に設けられる第１及び２磁石７１，７２が備わっている。従って、電源（図示せず）から各コイル４０，５０に電流が供給されれば、前記第１及び２磁石７１，７２により形成される磁界との相互作用により電磁気力が発生してフォーカス方向Ｆやトラッキング方向Ｔにブレード２０が駆動する。参照符号８０はヨークを示す。
【００１６】
前記第１磁石７１は前記フォーカスコイル４０の真ん中に形成される中空内に配され、前記第２磁石７２はその外側から第１磁石７１と対向するが、前記第２磁石７２は従来の磁石と同じ構造であるが、第１磁石７１は図４に示されたように中心に空隙７１ａが形成された筒型部材よりなっている。そして、その第１磁石７１は外周面側と内周面側が第１及び２極に分極されている。例えば、外周面側のＮ極ならば内周面側のＳ極に着磁されている構造である。このようになれば、フォーカスコイル４０と対向している第１磁石７１の外周側の全ての面は同じ極になる。
【００１７】
前記構成によれば、いったんブレード２０をフォーカス方向Ｆに駆動させるメイン駆動力は前記第１及び第２磁石７１，７２間に位置したフォーカスコイル部分４１に流れる電流により発生する。そして、残りの部分４２，４３，４４に沿って流れる電流もメイン駆動力と同方向に力を発生させる。すなわち、従来には漏れ磁束との反応により前記メイン駆動力を発生される部分４１を除外した残りの部分４２，４３，４４のうち左右部分４３，４４は力が互いに相殺されて背面部４２では反対方向に力が発生したが、本構造では全ての部分４１，４２，４３，４４に対して全く同じく上昇／下降する力が発生するように磁束が作用しているために、結局、それらの力の総合によりブレード２０が昇降する。言い換えれば、メイン駆動力をＦ１、その反対側である背面部で発生する駆動力をＦ２、左右側部位で発生する駆動力をそれぞれＦ３、Ｆ４とする時、従来にはブレード２０に作用する力の総合がＦ１−Ｆ２＋Ｆ３−Ｆ４であったが、本構成ではＦ１＋Ｆ２＋Ｆ３＋Ｆ４と合わさった力がブレード２０に作用する。従って、従来に比べて感度がかなり良好になり、特に背面部４２で反対方向にブレード２０に駆動力を作用させる場合に発生しうる副共振などの可能性を払拭できる。
【００１８】
結局、本発明はフォーカスコイル４０の中央に筒型に生じた第１磁石７１を設けて各面に対して同じ極性の磁束を発生させることにより、全ての面に同方向の駆動力を発生させて感度を高めつつ副共振発生の可能性を抑制したものである。
【産業上の利用可能性】
【００１９】
本発明は、従来よりもより効率的な光ディスクドライブを搭載する必要のある機器に効果的に適用可能である。
【図面の簡単な説明】
【００２０】
【図１】従来の光ピックアップアクチュエータを示した図面である。
【図２】図１に示された光ピックアップアクチュエータにおいて電磁気駆動ユニットを抜粋して示した図面である。
【図３】本発明による光ピックアップアクチュエータを示した図面である。
【図４】図３に示された光ピックアップアクチュエータにおいて電磁気駆動ユニットを抜粋して示した図面である。
【符号の説明】
【００２１】
１０  対物レンズ
２０  ブレード
３０  ホルダ
４０，５０  コイル
６０  ワイヤ
７１，７２  第１及び第２磁石
７１ａ  空隙
８０  ヨーク
９０  ベース
Ｆ  フォーカス方向
Ｔ  トラッキング方向
【図１】
2004164831.tif 000003
【図２】
2004164831.tif 000004
【図３】
2004164831.tif 000005
【図４】
2004164831.tif 000006